(57)【要約】【課題】瞳レンズの主光線角度や像高を測定して該瞳レンズを評価、確認することができる瞳レンズ測定装置を提供する。【解決手段】瞳レンズ１００を光軸１０２方向に沿って直線移動可能に支持する可動支持部１２と、平行光照明手段１４と、平行光照明手段１４によって照明されるピンホール部１６と、該瞳レンズ１００の光軸１０２から該ピンホール部１６までの距離を変更させうるピンホール距離変更装置１８と、該瞳レンズ１００を通過した光Ｌを確認する観測光学系２０と、ピンホール部１６の結像の像高Ｙを測定する像高測定手段２２と、該可動支持部１２を介して瞳レンズ１００を直線移動させ、平行光が瞳レンズ１００の光軸上の焦点に収束される移動位置と、同瞳レンズ１００による該ピンホール部１６の結像が確認される移動位置と、の間の距離を測定する距離測定手段２４と、を備えた瞳レンズ測定装置１０から構成される。【選択図】図１
2020186964.tif 000002
【特許請求の範囲】
【請求項１】
測定対象の瞳レンズを該瞳レンズの光軸方向に沿って直線移動可能に支持する可動支持部と、
該可動支持部に支持された瞳レンズの光軸と平行な平行光を照射する平行光照明手段と、
平行光照明手段によって照明されて該瞳レンズによって結像されるピンホール部と、
該瞳レンズの光軸からの垂線上の距離であって該ピンホール部までの垂線上の距離を変更させうるピンホール距離変更装置と、
該瞳レンズを通過した光を確認する観測光学系と、
該瞳レンズにより結像されたピンホール部の像高を測定する像高測定手段と、
該可動支持部を介して光軸に沿って瞳レンズを直線移動させ、ピンホール部を通過した平行光が瞳レンズの光軸上の焦点に収束した光を観測光学系により確認される該瞳レンズの移動位置と、同瞳レンズによる該ピンホール部の結像が観測光学系により確認される該瞳レンズの移動位置と、の間の距離を測定する距離測定手段と、を備えたことを特徴とする瞳レンズ測定装置。
【請求項２】
ピンホール部位置近傍の光路中に挿入、離脱可能に設置される拡散板を含むことを特徴とする請求項１記載の瞳レンズ測定装置。
【請求項３】
ピンホール部は、瞳レンズに対して所定の離隔位置に設定されて可動支持部に一体的に組み付けられたことを特徴とする請求項１又は２記載の瞳レンズ測定装置。
【請求項４】
可動支持部には、瞳レンズの焦点距離近傍位置に絞りが一体的に組み付けられたことを特徴とする請求項１ないし３のいずれかに記載の瞳レンズ測定装置。
【請求項５】
ピンホール距離変更装置は、平行光照明手段からの平行光を通過する複数のピンホール部が設けられたピンホール板と、
光軸に対して直交方向に長いスリットが形成されるとともに該スリット以外の部分を遮光し、ピンホール板と面合わせ状に組み付けられるスリット板と、
該ピンホール板のピンホール部とスリット板のスリットとの組み合わせ位置を変更することにより、該ピンホール部の光軸からの距離を選択的に変更可能な選択機構と、を含むことを特徴とする請求項１ないし４のいずれかに記載の瞳レンズ測定装置。
【請求項６】
ピンホール部は、瞳レンズの光軸に対して線対称となる位置にピンホールが設けられることを特徴とする請求項１ないし５のいずれかに記載の瞳レンズ測定装置。
【請求項７】
瞳レンズの主光線角度と像高を測定するための瞳レンズ測定方法であり、
測定対象の瞳レンズと該瞳レンズの光軸から所定の離隔位置に配置されたピンホール部とを該瞳レンズの光軸方向に沿って直線移動可能な可動支持部に支持するとともに、平行光照明手段からの平行光をピンホール部を通過させて瞳レンズに向けて照射した状態で、
可動支持部を介して瞳レンズを光軸に沿って移動させ、ピンホール部からの平行光が瞳レンズによって光軸上の焦点に収束された光が観測光学系により確認される移動位置に該瞳レンズを設定するステップと、
光路中に拡散板を配置して、可動支持部を介して瞳レンズを光軸に沿って移動させ、該瞳レンズによるピンホール部の結像が観測光学系により確認される移動位置に該瞳レンズを設定するステップと、
該瞳レンズの光軸上の焦点に収束された光が確認される該瞳レンズの移動位置からピンホール部の結像が確認される瞳レンズの移動位置までの距離を距離測定手段を介して測定するステップと、
該ピンホール部の結像が確認される移動位置でのピンホール部の結像の像高を像高測定手段を介して測定するステップと、
像高測定手段により測定された該ピンホール部の像高と、距離測定手段により測定された該瞳レンズの焦点に光が確認される移動位置から結像が確認される移動位置までの距離の値と、から三角関数を利用して該瞳レンズの主光線角度を求めるステップと、を含むことを特徴とする瞳レンズ測定方法。
【発明の詳細な説明】
【技術分野】
【０００１】
本発明は、例えば、撮像素子（イメージセンサ）等の光学デバイスの光学テスト等に利用される瞳レンズの主光線角度や像高の測定に利用できる瞳レンズ測定装置及び測定方法に関する。
【背景技術】
【０００２】
ＣＭＯＳイメージセンサ等の半導体の集積回路で設けられる固体撮像素子は、光を電気信号に変換する特性を利用して、デジタルスチルカメラやビデオカメラ、携帯電話、その他種々の産業機器等に広く活用されている。固体撮像素子は、光学テスト、動作検査が必要であるが、例えば、固体撮像素子等の光学デバイスの検査装置としては、従来より、プローブカードにレンズユニットを搭載した検査装置が利用されている（例えば、特許文献１参照）。従来の検査装置は、撮像素子のセンサエリアの中心にレンズ中心を合わせてプローブカードのプローブ針をウェハに配列された撮像素子に接触させた状態で、光源からレンズユニットを通過してくる光を撮像素子に照射し、プローブカードを介して該撮像素子からの電気信号を確認することにより、撮像素子が正常に動作するかどうか等の検査が行われている。この撮像素子の検査では、以前は平行光束を該撮像素子に向けて照射してテストを行うのが一般的であったが、近時では、固体撮像素子の集積密度が向上し画素数が増加するのに伴い、撮像素子に入射する光の入射角度や画角が大きくなっていることから、デジタルカメラ等に利用される実レンズに近い性能の瞳レンズがレンズユニットに用いられ、検査対象の撮像素子に対して瞳レンズを介して所定の傾斜角度の光を照射して、検査を行うことが重要かつ一般的になりつつある。
【先行技術文献】
【特許文献】
【０００３】
【特許文献１】国際公開番号ＷＯ２００８／０５９７６７号公報
【発明の概要】
【発明が解決しようとする課題】
【０００４】
上記のように撮像素子の検査で利用される瞳レンズは、例えば、カメラ等の実レンズに近いレンズ特性のものや、様々なレンズ特性を発揮するようなものが種々開発されているが、設計者によりレンズ特性等のシミュレーションに基づいてレンズ設計されて製造される。近年製作されるレンズでは、製造技術の進歩により極めて高精度に製造されていることから、光学設計値から大幅にかけ離れた数値を示すことは少ないと考えられていたため、瞳レンズのレンズ特性を実際に測定することは行われないまま、瞳レンズは光学設計値通りに（又はそれにかなり近い数値で）機能しているものとして撮像素子のテストに使用されていた。しかしながら、撮像素子の高密度化及び精度の向上、レンズの種類の多様化及び性能向上にも伴って、撮像素子のテストに使用される瞳レンズについても、そのレンズ性能が正常に機能しているかどうか或は光学設計値からの誤差等をより精密に確認しておくことの重要性が高まりつつある。特に、上記のような撮像素子のテストに利用される瞳レンズでは、撮像素子への照射角度となる主光線角度と像高との関連性について、実際に測定した値と光学設計値とを比較、確認することの必要性が高く、瞳レンズの主光線角度等のレンズ特性を実際に測定するための測定装置、測定方法の開発が強く望まれている。
【０００５】
本発明は上記従来の課題に鑑みてなされたものであり、その一つの目的は、例えば、撮像素子等のテストに利用される瞳レンズの主光線角度や像高を簡単に測定して当該瞳レンズを評価、確認することができる瞳レンズ測定装置及び測定方法を提供することにある。
【課題を解決するための手段】
【０００６】
上記課題を解決するために本発明は、測定対象の瞳レンズ１００を該瞳レンズ１００の光軸１０２方向に沿って直線移動可能に支持する可動支持部１２と、該可動支持部１２に支持された瞳レンズ１００の光軸１０２と平行な平行光を照射する平行光照明手段１４と、平行光照明手段１４によって照明されて該瞳レンズ１００によって結像されるピンホール部１６と、該瞳レンズ１００の光軸１０２からの垂線上の距離であって該ピンホール部１６までの垂線上の距離（ｙ１〜ｙ４）を変更させうるピンホール距離変更装置１８と、該瞳レンズ１００を通過した光Ｌを確認する観測光学系２０と、該瞳レンズ１００により結像されたピンホール部１６の像高Ｙを測定する像高測定手段２２と、該可動支持部１２を介して光軸１０２に沿って瞳レンズ１００を直線移動させ、ピンホール部１６を通過した平行光が瞳レンズ１００の光軸上の焦点に収束した光を観測光学系２０により確認される該瞳レンズの移動位置ｘ１と、同瞳レンズ１００による該ピンホール部１６の結像が観測光学系により確認される該瞳レンズの移動位置ｘ２と、の間の距離（ｘ１−ｘ２）を測定する距離測定手段２４と、を備えた瞳レンズ測定装置１０から構成される。
【０００７】
その際、ピンホール部１６位置近傍の光路中に挿入、離脱可能に設置される拡散板５６を含むとよい。
【０００８】
また、ピンホール部１６は、瞳レンズ１００に対して所定の離隔位置ａに設定されて可動支持部１２に一体的に組み付けられたこととしてもよい。
【０００９】
また、可動支持部１２には、瞳レンズ１００の焦点距離ｆ近傍位置に絞り６２が一体的に組み付けられたこととしてもよい。
【００１０】
また、ピンホール距離変更装置１８は、平行光照明手段１４からの平行光を通過する複数のピンホール部１６が設けられたピンホール板４０と、光軸１０２に対して直交方向に長いスリット４３が形成されるとともに該スリット以外の部分を遮光し、ピンホール板４０と面合わせ状に組み付けられるスリット板４２と、該ピンホール板４０のピンホール部１６とスリット板４２のスリット４３との組み合わせ位置を変更することにより、該ピンホール部１６の光軸１０２からの距離を選択的に変更可能な選択機構４４と、を含むこととしてもよい。
【００１１】
また、ピンホール部１６は、瞳レンズ１００の光軸１０２に対して線対称となる位置にピンホールが設けられることとしてもよい。
【００１２】
さらに本発明は、瞳レンズ１００の主光線角度θと像高Ｙを測定するための瞳レンズ測定方法であり、測定対象の瞳レンズ１００と該瞳レンズ１００の光軸１０２から所定の離隔位置に配置されたピンホール部１６とを該瞳レンズ１００の光軸方向に沿って直線移動可能な可動支持部１２に支持するとともに、平行光照明手段１４からの平行光をピンホール部１６を通過させて瞳レンズ１００に向けて照射した状態で、可動支持部１２を介して瞳レンズ１００を光軸１０２に沿って移動させ、ピンホール部１６からの平行光が瞳レンズによって光軸上の焦点に収束された光が観測光学系２０により確認される移動位置ｘ１に該瞳レンズ１００を設定するステップと、光路中に拡散板５６を配置して、可動支持部１２を介して瞳レンズ１００を光軸１０２に沿って移動させ、該瞳レンズ１００によるピンホール部１６の結像Ｌが観測光学系２０により確認される移動位置ｘ２に該瞳レンズを設定するステップと、該瞳レンズ１００の光軸上の焦点に収束された光が確認される該瞳レンズの移動位置ｘ１からピンホール部１６の結像が確認される瞳レンズの移動位置ｘ２までの距離（ｘ１−ｘ２）を距離測定手段２４を介して測定するステップと、該ピンホール部の結像が確認される移動位置でのピンホール部の結像の像高Ｙを像高測定手段を介して測定するステップと、像高測定手段２２により測定された該ピンホール部の像高Ｙと、距離測定手段２４により測定された該瞳レンズの焦点に光が確認される移動位置から結像が確認される移動位置までの距離（ｘ１−ｘ２）の値と、から三角関数を利用して該瞳レンズの主光線角度θを求めるステップと、を含む瞳レンズ測定方法から構成される。
【発明の効果】
【００１３】
本発明の瞳レンズ測定装置によれば、測定対象の瞳レンズを該瞳レンズの光軸方向に沿って直線移動可能に支持する可動支持部と、該可動支持部に支持された瞳レンズの光軸と平行な平行光を照射する平行光照明手段と、平行光照明手段によって照明されて該瞳レンズによって結像されるピンホール部と、該瞳レンズの光軸からの垂線上の距離であって該ピンホール部までの垂線上の距離を変更させうるピンホール距離変更装置と、該瞳レンズを通過した光を確認する観測光学系と、該瞳レンズにより結像されたピンホール部の像高を測定する像高測定手段と、該可動支持部を介して光軸に沿って瞳レンズを直線移動させ、ピンホール部を通過した平行光が瞳レンズの光軸上の焦点に収束した光を観測光学系により確認される該瞳レンズの移動位置と、同瞳レンズによる該ピンホール部の結像が観測光学系により確認される該瞳レンズの移動位置と、の間の距離を測定する距離測定手段と、を備えたことから、ピンホール部の結像の像高と、瞳レンズの光軸上の焦点に収束した光を観測光学系により確認される該瞳レンズの移動位置と同瞳レンズによる該ピンホール部の結像が観測光学系により確認される該瞳レンズの移動位置との間の距離とを計測して、それらから主光線角度を求めて測定することができる。その結果、瞳レンズの主光線角度と像高を実際に測定した実測値と、光学設計値と、を比較して、例えば、撮像素子のテスト用としての瞳レンズを評価、確認することができる。
【００１４】
また、ピンホール部位置近傍の光路中に挿入、離脱可能に設置される拡散板を含む構成とすることにより、明確に結像されることとなり、結像が確認される位置、距離の測定を正確に行うことができ、ひいては、主光線角度や像高を精度よく測定することができる。
【００１５】
また、ピンホール部は、瞳レンズに対して所定の離隔位置に設定されて可動支持部に一体的に組み付けられた構成とすることにより、瞳レンズとピンホール部との距離が保持されるので、瞳レンズを光軸方向に沿って移動させたりしても、ピンホール部から瞳レンズを通って観測光学系で観測される光の変化が少なく、スムーズに測定を行うことができる。
【００１６】
また、可動支持部には、瞳レンズの焦点距離近傍位置に絞りが一体的に組み付けられた構成とすることにより、瞳レンズを光軸方向に沿って移動させたりしても、ピンホール部から瞳レンズを通って観測光学系で観測される光の変化が少なく、結像が確認される位置や距離の測定を正確かつスムーズに行うことができ。
【００１７】
また、ピンホール距離変更装置は、平行光照明手段からの平行光を通過する複数のピンホール部が設けられたピンホール板と、光軸に対して直交方向に長いスリットが形成されるとともに該スリット以外の部分を遮光し、ピンホール板と面合わせ状に組み付けられるスリット板と、該ピンホール板のピンホール部とスリット板のスリットとの組み合わせ位置を変更することにより、該ピンホール部の光軸からの距離を選択的に変更可能な選択機構と、を含む構成とすることにより、簡単な構造でピンホール距離変更装置を実現でき、光軸からピンホール部までの垂線上の距離の変更を簡単に行え、すなわち物体距離である物体高を変更させながら、主光線角度と像高の測定をスムーズに行える。
【００１８】
また、ピンホール部は、瞳レンズの光軸に対して線対称となる位置にピンホールが設けられる構成とすることにより、光軸に対して対称位置でピンホール部からの光を確認しながら、焦点に一致した状態を観測光学系で確認できる瞳レンズの移動位置や、結像を確認できる位置を確認しやすい。
【００１９】
また、本発明の瞳レンズ測定方法によれば、瞳レンズの主光線角度と像高を測定するための瞳レンズ測定方法であり、測定対象の瞳レンズと該瞳レンズの光軸から所定の離隔位置に配置されたピンホール部とを該瞳レンズの光軸方向に沿って直線移動可能な可動支持部に支持するとともに、平行光照明手段からの平行光をピンホール部を通過させて瞳レンズに向けて照射した状態で、可動支持部を介して瞳レンズを光軸に沿って移動させ、ピンホール部からの平行光が瞳レンズによって光軸上の焦点に収束された光が観測光学系により確認される移動位置に該瞳レンズを設定するステップと、光路中に拡散板を配置して、可動支持部を介して瞳レンズを光軸に沿って移動させ、該瞳レンズによるピンホール部の結像が観測光学系により確認される移動位置に該瞳レンズを設定するステップと、該瞳レンズの光軸上の焦点に収束された光が確認される該瞳レンズの移動位置からピンホール部の結像が確認される瞳レンズの移動位置までの距離を距離測定手段を介して測定するステップと、該ピンホール部の結像が確認される移動位置でのピンホール部の結像の像高を像高測定手段を介して測定するステップと、像高測定手段により測定された該ピンホール部の像高と、距離測定手段により測定された該瞳レンズの焦点に光が確認される移動位置から結像が確認される移動位置までの距離の値と、から三角関数を利用して該瞳レンズの主光線角度を求めるステップと、を含むことから、瞳レンズの主光線角度と像高を実際に測定でき、その実測値と、光学設計値と、を比較して、撮像素子のテスト用としての瞳レンズを評価、確認等することができる。
【図面の簡単な説明】
【００２０】
【図１】本発明の一実施形態に係る瞳レンズ測定装置の概略説明図である。
【図２】図１の瞳レンズ測定装置のＡ−Ａ線矢視図でスリット板の説明図である。
【図３】図１の瞳レンズ測定装置のＢ−Ｂ線矢視図でピンホール板の説明図である。
【図４】図１の瞳レンズ測定装置のＣ−Ｃ線矢視図でピンホール距離変更装置の説明図である。
【図５】図１の瞳レンズ測定装置の観測光学系での説明図である。
【図６】図１の瞳レンズ測定装置で瞳レンズを通過した平行光が光軸上の焦点に集光した状態を示す説明図である。
【図７】図１の瞳レンズ測定装置で瞳レンズを通過した光が結像した状態を示す説明図である。
【図８】図１の瞳レンズ測定装置で瞳レンズの主光線角度を求める概略説明図である。
【図９】瞳レンズの像高と主光線角度の関連性を示すグラフの一例である。
【図１０】図１の瞳レンズ測定装置の平行光照明手段の他の実施例の説明図である。
【図１１】図１の瞳レンズ測定装置のピンホール距離変更装置の他の実施例の説明図である。
【図１２】瞳レンズの主光線角度と像高の概略説明図である。
【発明を実施するための形態】
【００２１】
以下添付図面を参照しつつ本発明の瞳レンズ測定装置の実施形態について説明する。本発明に係る瞳レンズ測定装置及び測定方法は、例えば、撮像素子（イメージセンサ）の光学テストに利用される瞳レンズの主光線角度と像高を実際に測定することができる測定装置及び測定方法である。図１ないし図１２は、本発明の瞳レンズ測定装置及び測定方法の一実施形態を示している。図１は、本実施形態の瞳レンズ測定装置１０の概略説明図である。図１に示すように、本実施形態に係る瞳レンズ測定装置１０は、測定対象の瞳レンズ１００を移動可能に支持する可動支持部１２と、平行光照明手段１４と、ピンホール部１６と、瞳レンズ１００の光軸１０２からピンホール部１６までの距離を変更するピンホール距離変更装置１８と、瞳レンズ１００を通過した光を観測する観測光学系２０と、像高測定手段２２と、可動支持部１２を介して移動する瞳レンズ１００の所定の移動距離を測定する距離測定手段２４と、を備える。本実施形態では、測定対象の瞳レンズ１００は、例えば、絞り機能を有しており、入射した光を撮像素子等に向けて所定の角度及び範囲で出射するように設けられる。本実施形態の瞳レンズ測定装置１０は、例えば、図１２に示すように、瞳レンズ１００の絞り中心を通過する主光線角度θと結像された像高Ｙを測定し、物体高（ピンホール部の光軸からの垂線上の距離となるピンホール高さ）ｙを変更した際に変化する主光線角度θと像高Ｙとの関連性（図９参照）を測定して確認するのに利用する例を説明する。
【００２２】
図１に示すように、可動支持部１２は、測定対象の瞳レンズ１００をその瞳レンズ１００の光軸１０２に沿って直線移動可能に支持する瞳レンズの支持手段兼直線移動手段である。本実施形態では、可動支持部１２、平行光照明手段１４、ピンホール部１６、ピンホール距離変更装置１８、観測光学系２０、像高測定手段２２、距離測定手段２４等を含む装置構成要素は、基台となるベース体２６に組み付けられている。図１、図６、図７に示すように、可動支持部１２は、例えば、ベース体２６に対して上下方向に直線スライド移動可能に連結された可動部材２８を有し、該可動部材に瞳レンズ１００を支持する。可動支持部１２は、該瞳レンズ１００の光軸１０２と基体に対する可動部材の直線スライド移動方向とが平行となるように瞳レンズ１００を支持し、該支持した瞳レンズ１００を光軸１０２に沿って直線的に移動自在とするとともに、移動させた位置で保持できるようになっている。可動支持部１２は、例えば、周知の顕微鏡のステージと略同じような構造で設けられており、つまみ等を手動で回転させることにより、可動部材が上下するようになっている。瞳レンズ１００を支持した可動支持部１２の移動機構は、例えば、測定者が手動で移動させる構成に限らず、アクチュエータ等で機械的又は電動で移動させる構成としてもよい。
【００２３】
平行光照明手段１４は、可動支持部１２に支持された瞳レンズ１００の光軸と平行な平行光を照射する照明手段である。本実施形態では、図１では、平行光照明手段１４は、例えば、ランプハウスに設置されるハロゲンランプ等の光源３０と、光源３０からの光量と範囲を制限する光源側絞り３２と、光源３０から光源側絞り３２を通過した光を補正して平行光として照射するコリメータレンズ３４と、を有する。コレクターレンズ３４は、可動支持部１２に支持される瞳レンズ１００の光軸１０２と平行な光を照射するように設定される。なお、平行光照明手段１４は、本実施形態の態様に限らず、平行光を照射する構成であれば任意でよい。例えば、図１０には、平行光照明手段１４の他の形態を示しており、レーザー光源３６と、複数のレンズ（凹レンズ３８ａ，凸レンズ３８ｂ等）を組合せて構成されたビームエクスパンダ３８と、を含み、レーザー光源３６から平行光をビームエクスパンダ３８によって範囲を拡大して、可動支持部１２に支持される瞳レンズ１００の光軸１０２と平行な光を照射するように設定される。また、平行光照明手段１４は、例えば、種々の光源や、該光源からの光を平行光にするレンズや絞り、ハーフミラー、ピンホール等を含む任意の照明光学系で構成してもよい。
【００２４】
ピンホール部１６は、平行光照明手段１４によって照明され、測定対象の該瞳レンズによって結像されるチャート手段である。図１に示すように、本実施形態では、ピンホール部１６は、例えば、後述のピンホール板４０に穿孔された小径のピンホールからなり、瞳レンズ１００の光軸１０２から所定の距離だけ離隔した位置に設けられており、該ピンホールにより平行光照明手段１４からの光を瞳レンズ１００に向けて通過させるとともに、ピンホール以外の部分は光を遮り、点光源状に明るいピンホールチャートを形成する。よって、光軸１０２から所定の物体高の点光源状の光を瞳レンズ１００に向けて通過させる。ピンホール部１６は、例えば、平行光照明手段１４と測定対象の瞳レンズ１００の間の位置の光路中に設置されるとともに、瞳レンズ１００に対して所定の離隔位置ａに設定されて可動支持部１２に一体的に組み付けられている。よって、瞳レンズ１００とピンホール部１６とはその所定の離隔位置ａを保持した状態で、可動支持部１２を介して瞳レンズ１００の光軸１０２に沿って一体的に移動しうる。さらに、ピンホール部１６は、瞳レンズ１００の光軸１０２に対して該光軸を対象軸とした線対称となる位置にピンホールが設けられており、光軸１０２から同じ距離にある２つのピンホールが１組として形成されている。ピンホール部１６は、ピンホール距離変更装置１８により光軸１０２からの距離を変更可能に設けられている。なお、ピンホール部１６は、可動支持部１２と一体的に設けられていなくてもよい。例えば、ピンホール部１６と瞳レンズ１００との距離を近接、離隔可能とするようにピンホール部を固定的又は可動的に支持する構成としてもよい。
【００２５】
ピンホール距離変更装置１８は、瞳レンズの光軸からの垂線上の距離であって該ピンホール部までの垂線上の距離すなわちピンホール部の光軸からの距離（高さ）を変更させうるピンホール距離変更手段である。本実施形態では、例えば、図２、図３、図４に示すように、ピンホール距離変更装置１８は、複数のピンホール部１６が設けられたピンホール板４０と、スリット４３が形成されたスリット板４２と、ピンホール板４０のピンホール部１６とスリット板４２のスリット４３の組み合わせを選択的に変更し得る選択機構４４と、を有する。
【００２６】
図３に示すように、ピンホール板４０は、例えば、円形状の板からなり、板面が瞳レンズ該光軸１０２に対して垂直に設置されるとともに、その中心が該光軸１０２に設定されており、複数のピンホール部１６が該板の中心すなわち光軸１０２から異なる距離位置ｙ１〜ｙ４に設けられている。本実施形態では、ピンホール板４０のピンホール部１６は、中心を挟んで１８０度位置にある同じ距離のものを２個１組として、異なる距離ｙ１〜ｙ４で４組設けられている。ピンホール板４０の光軸１０２から異なる距離にあるピンホール部１６どうしは、周方向に所定の回転角度だけずれた位置に設定され中心を通る同じ直線上には並ばないようになっている。図２に示すように、スリット板４２は、例えば、ピンホール板４０と略同じ大きさの円形状の板からなり、板面が瞳レンズ該光軸１０２に対して垂直に設置されるとともに、その中心が該光軸１０２に設定されており、中央に該光軸１０２に対して直交方向に長いスリット４３が形成されている。スリット板４２のスリット４３は、例えば、板の中心を通って径方向に長く形成された細長い孔からなり平行光照明手段１４からの光を通過するとともに、該スリット板４２のスリット４３以外の部分は光を遮るようになっている。スリット板４２は、例えば、ピンホール板４０の平行光照明手段１４側の板面に略当接又は近接して面合わせ状に配置されており、スリット４３を通過した線状の光のみピンホール板４０に照射させる。図４（ａ）、（ｂ）に示すように、選択機構４４は、例えば、光軸１０２上に中心を一致させて面合わせ状に配置されるピンホール板４０とスリット板４２とを中心で回動自在に連結する回動軸４５を含み、ピンホール板４０とスリット板４２の少なくともいずれか一方を回動軸４５回りすなわち光軸回りに回動させることにより、該ピンホール板４０のいずれかの距離のピンホール部１６をスリット板４２のスリット４３の位置に選択的に変更させる結果、平行光照明手段１４からの平行光が通過するピンホール部１６の光軸１０２からの距離を簡単に変更できる。なお、ピンホール距離変更装置１８は、本実施形態の態様に限らず、光軸１０２からピンホール部１６までの距離を変更可能な構成であれば任意でよい。例えば、複数のピンホール部を有するピンホール板をスリット板に対してスライド移動させて、ピンホール部の光軸からの距離を変更可能に設けることとしてもよい。また、例えば、図１１に示すように、ピンホール距離変更装置１８は、ピンホール部１６をスライド移動することにより、光軸１０２からピンホール部１６までの距離を変更する構成としてもよい。図１１の実施例では、ピンホール距離変更装置１８は、例えば、ピンホール部１６を有する２個１組のピンホール部材４８をスライド装置４６を介して光軸１０２に対して近接、離隔スライド移動自在に組み付けられている。図１１（ａ）、（ｂ）に示すように、スライド装置４６は、例えば、基盤５０に直線状に設けられた長孔５２に沿ってピンホール部材４８がスライド自在に配置されるとともに、先端がピンホール部材４８に接続されるリンク杆が枢支軸を介してＸ字状に組み付けられたリンク機構５４により２つのピンホール部材４８は光軸１０２からの距離を互いに同じ距離で保持しながらスライド移動して、ピンホール部１６の光軸からの距離を変更可能に設けられている。ピンホール部以外の光を遮断するのはもちろんであり、例えば、基盤５０の長孔５２部分にはピンホール部材４８とともに、遮光性で伸縮する蛇腹４９ａ、４９ｂ、４９ｃを設置する。ピンホール部材４８のスライド移動に対応して蛇腹４９ａ、４９ｂ、４９ｃが伸縮してピンホール部以外を常に遮光する。
【００２７】
本実施形態では、図１、図６、図７に示すように、ピンホール板４０で形成されるピンホール部１６の近傍位置には、光路中に挿入、離脱可能な拡散板５６が配置されている。拡散板５６は、例えば、ピンホール板４０の瞳レンズ１００側の板面に略当接又は近接して配置され、ピンホール部１６を通る平行光を拡散しうる。拡散板５６を配置した状態では、ピンホール部１６からの光が拡散しているので、瞳レンズ１００によるピンホール部１６の結像を観測光学系２０で確認が可能となる。
【００２８】
観測光学系２０は、測定対象の瞳レンズ１００を通過した光を確認する観測手段である。図１、図６に示すように、本実施形態では、観測光学系２０は、例えば、瞳レンズ１００を通過した光を測定者が直接目Ｅで確認するように構成されており、瞳レンズ１００側に配置される対物レンズ５８と、測定者の眼側に配置される接眼レンズ６０と、を含む拡大光学系からなる。なお、図６、図７では、測定者の眼Ｅを模式的にあらわしている。また、説明のために、光路を単純化して示している。観測光学系２０は、例えば、ベース体２６に組み付けられており、可動支持部１２に支持された瞳レンズ１００の直線移動により、該瞳レンズ１００に相対的に近接、離隔される。図５（ａ）、（ｂ）は、観測光学系２０を覗いた様子の説明図であり、瞳レンズ１００が観測光学系２０に対して光軸１０２に沿って直線移動して、近接したり、離隔したりすることにより、観測光学系２０により観測される瞳レンズ１００からの光Ｌ、すなわちピンホールの像が見える位置が、移動したり、ピントが合ったり、外れたりする。観測光学系２０の対物レンズ５８、接眼レンズ６０は、例えば、周知の顕微鏡に利用される対物レンズや接眼レンズを利用でき、所定の倍率で像を拡大する。すなわち、図７に示すように、接眼レンズ６０で覗いた際に現れる光Ｌは、対物レンズの倍率で拡大された拡大像Ｌ１をさらに、接眼レンズ６０の倍率で拡大された拡大像Ｌ２を観測することとなる。対物レンズ５８、接眼レンズ６０は、それらの光軸は、測定対象の瞳レンズ１００の光軸と一致するように設定されている。また、接眼レンズ６０は、例えば、目盛表示を有する測微接眼レンズからなり、後述の像高測定手段２２を構成する。なお、観測光学系２０は、上記した構成に限らず、所定のレンズやセンサー等組み合わせた構成や、その他任意の構成でもよい。例えば、観測光学系２０は、瞳レンズ１００を通過した光の像面位置に、ＣＭＯＳのような撮像素子を備えたカメラや光センサー等の撮像装置を設置し、該撮像装置で受光して得られた画像をモニター等で確認したり、受光強度等を測定しながら光を確認するように構成してもよい。
【００２９】
本実施形態では、図１に示すように、測定対象の瞳レンズ１００の像側の焦点距離ｆの近傍位置には、開口絞り６２が配置される。瞳レンズ１００の焦点位置ｆは、該瞳レンズの射出瞳に等しくなることから、射出瞳位置近傍に開口絞り６２が設置されているといえる。開口絞り６２は、例えば、可動支持部１２に一体的に組み付けられており、瞳レンズ１００の焦点距離ｆの近傍位置を保持された状態で瞳レンズ１００とともに、光軸１０２に沿って移動する。瞳レンズ１００の焦点距離ｆの近傍位置に開口絞り６２を設置したことにより、瞳レンズ１００と対物レンズ５８との距離が変化しても瞳レンズ１００を通過する光Ｌ、すなわちピンホール部の像の大きさが変化しにくく、観測しやすい。
【００３０】
像高測定手段２２は、瞳レンズ１００により結像されたピンホール部１６の像高Ｙを測定する手段である。本実施形態では、図５に示すように、像高測定手段２２は、例えば、観測光学系２０の接眼レンズ６０（測微接眼レンズ）に設けられた目盛表示と瞳レンズ１００を通過したピンホール部からの光（像）Ｌを比較することよって、像高Ｙを測定者が目視で測定できる。なお、像高測定手段２２は、上記のものに限らず、その他任意の構成でもよい。例えば、像高測定手段２２は、光路中の像面位置に透光性のスケール板を設置することとしてもよい。また、像高測定手段２２は、例えば、観測光学系２０がカメラ等の撮像装置を利用したものである場合には、モニターに表示した画像で座標や目盛を読んで像高測定したり、又はコンピュータ等の演算処理によって像高を測定するようにしてもよい。
【００３１】
距離測定手段２４は、可動支持部１２を介して光軸１０２に沿って瞳レンズ１００を直線移動させる際に、ピンホール部１６を通過した平行光が瞳レンズ１００の光軸上の焦点に収束した光Ｌを観測光学系２０により確認される該瞳レンズ１００の移動位置ｘ１（図６参照）と、同瞳レンズ１００による該ピンホール部１６の結像が観測光学系２０により確認される該瞳レンズ１００の移動位置ｘ２（図７参照）と、の間の距離（ｘ１−ｘ２）を測定する距離測定手段である。なお、本実施形態では、図６に示すように、瞳レンズ１００を移動して、ピンホール部１６を通過した平行光が瞳レンズ１００の光軸上の焦点に収束した光Ｌを観測光学系２０により確認される該瞳レンズ１００の移動位置ｘ１を、焦点確認移動位置ｘ１という。一方、図７に示すように、瞳レンズ１００を移動して、該瞳レンズ１００による該ピンホール部１６の結像が観測光学系２０により確認される該瞳レンズ１００の移動位置ｘ２を、結像確認位置ｘ２という。図１に示すように、距離測定手段２４は、例えば、ベース体２６に設けられた目盛表示であって、瞳レンズ１００を支持する可動支持部１２の可動部材２８の移動位置を測定しうる目盛表示を含む。距離測定手段２４は、例えば、焦点確認移動位置ｘ１の目盛表示と、結像確認位置ｘ２の目盛表示と、を測定者がそれぞれ読んで、それらの差（ｘ１−ｘ２（又はｘ２−ｘ１））を計算して測定される。なお、距離測定手段２４は、上記の構成に限らず、焦点確認移動位置ｘ１と結像確認位置ｘ２との間の距離を測定しうる構成であれば任意の構成でもよい。
【００３２】
次に、本実施形態に係る瞳レンズ測定装置１０の作用とともに、瞳レンズ測定方法について説明する。例えば、瞳レンズの光学設計値が、図９のようなグラフを示すようなものである場合には、物体高を変化させながら同瞳レンズの主光線角度θと像高Ｙを実際に測定して、該実測値が図９の光学設計値と同じか否か等を確認する。測定対象の瞳レンズ１００を瞳レンズ測定装置１０の可動支持部１２に支持させ、平行光照明手段１４からの平行光をピンホール部１６を通過させて瞳レンズ１００に向けて照射させた状態としておく。まず、ピンホール距離変更装置１８を介して、光軸１０２からの所定の距離（例えば、ｙ１）のピンホール部１６に光が通過するように設定する。図１に示すように、拡散板５６を光路中から離脱させた状態で、測定者は、観測光学系２０で瞳レンズ１００を通過する光を確認しながら可動支持部１２を介して瞳レンズ１００を光軸に沿って移動させる。図５（ａ）、図６に示すように、瞳レンズ１００を移動させ、ピンホール部１６からの平行光が瞳レンズによって光軸上の焦点に収束された光Ｌが観測光学系２０により確認される焦点確認移動位置ｘ１に該瞳レンズの位置を設定する。この際、焦点確認移動位置ｘ１を距離測定手段２４の目盛を利用して測定しておく。次に、図７に示すように、拡散板５６を光路中に挿入する。拡散板５６を挿入した状態で可動支持部１２を介して瞳レンズを光軸に沿って移動させ、図５（ｂ）、図７に示すように、該瞳レンズによるピンホール部１６の結像が形成されて、その結像がピントが合った状態が観測光学系２０により確認される結像確認移動位置ｘ２に該瞳レンズの位置を設定する。この際、ピンホール部の結像（ピンホール部を通過した光の結像）の像高Ｙを像高測定手段２０の目盛表示を介して測定する。なお、本実施形態では、観測光学系２０は、対物レンズ、接眼レンズにより拡大されて表示されていると同時に、測微接眼レンズの目盛表示で目視で計測しているので、測微接眼レンズ６０を見て測定した目盛表示から、対物レンズの倍率及び接眼レンズの倍率を元に、それぞれの倍率で割り算して、実際の結像の高さＹを測定する。さらに、結像確認移動位置ｘ２を距離測定手段２４の目盛を利用して測定しておく。そして、前記測定した、瞳レンズの焦点確認移動位置ｘ１と、結像確認移動位置ｘ２から、焦点確認移動位置ｘ１から結像確認移動位置ｘ２までの距離（ｘ１−ｘ２）を求めることにより当該距離を測定する。図８に示すように、ピンホール部を通過した光の像高Ｙと、焦点確認移動位置ｘ１から結像確認移動位置ｘ２までの距離（ｘ１−ｘ２）と、瞳レンズ１００の絞り中心を通る主光線角度θと、の間には、三角関数のｔａｎθ＝Ｙ／（ｘ１−ｘ２）が成立することから、三角関数のｔａｎθの値を計算して、瞳レンズの主光線角度θを求めることができる（ステップＳ２２）。次に、ピンホール距離変更装置１８を介して、ピンホール部１６の光軸１０２からの距離（物体高）を変更する。上記同様の操作を繰り返し、ピンホール部の光軸１０２からの距離を変更させながら、像高Ｙと主光線角度θの測定を所定の回数行い、図９に示す光学設計値の主光線角度と像高との関係性のグラフと比較して、実際の瞳レンズのレンズ特性を確認することができる。
【００３３】
以上説明した本発明の瞳レンズ測定装置は、上記した実施形態のみの構成に限定されるものではなく、特許請求の範囲に記載した本発明の本質を逸脱しない範囲において、任意の改変を行ってもよい。
【産業上の利用可能性】
【００３４】
本発明の瞳レンズ測定装置及び測定方法は、例えば、撮像素子のテストに利用される瞳レンズの主光線角度と像高との関係を実際に測定するのに利用することができる。
【符号の説明】
【００３５】
１０    瞳レンズ測定装置
１２    可動支持部
１４    平行光照明手段
１６    ピンホール部
１８    ピンホール距離変更装置
２０    観測光学系
２２    像高測定手段
２４    距離測定手段
４０    ピンホール板
４２    スリット板
４４    選択機構
４６    スライド装置
５６    拡散板
１００    瞳レンズ
１０２    瞳レンズの光軸
θ    主光線角度
【図１】
2020186964.tif 000003
【図２】
2020186964.tif 000004
【図３】
2020186964.tif 000005
【図４】
2020186964.tif 000006
【図５】
2020186964.tif 000007
【図６】
2020186964.tif 000008
【図７】
2020186964.tif 000009
【図８】
2020186964.tif 000010
【図９】
2020186964.tif 000011
【図１０】
2020186964.tif 000012
【図１１】
2020186964.tif 000013
【図１２】
2020186964.tif 000014